(57)【要約】【課題】少ないセンサ数で三色感度の異なる複数の撮像装置のそれぞれについて適切な色補正情報を得られるカラーメータを提供する。【解決手段】光源の光を測定して色補正情報を出力するカラーメータ１を、分光感度が異なる４組の測光センサ５１と、測光センサの出力に対して重み付け処理を行って合成三色分光感度を生成する三色感度生成手段１２１と、フィルムモード、デジタルモードを含む複数のモードから任意の一つを選択するモード選択手段１３０と、重み付け係数を各モード毎に保持するとともに、三色感度生成手段に提供する重み付け係数保持手段１２２と、測光センサの出力及び前記三色感度生成手段により生成された合成三色分光感度によって得られた三色値に基づいて色補正情報を出力する色補正情報出力手段１６０とを備える構成とする。【選択図】図３
2009053063.tif 000002
【特許請求の範囲】
【請求項１】
撮影用光源の光を測定して撮影用の色補正情報を出力するカラーメータであって、
相互に異なった分光感度を有し、入射光量に応じた測光信号を出力する４組の測光センサと、
前記４組の測光センサが出力する測光信号に対して、三原色にそれぞれ対応する重み付け処理を行って合成三色分光感度を生成する三色感度生成手段と、
フィルムカメラモード、及び、デジタルカメラモードを含む複数のモードから任意の一つを選択するモード選択手段と、
前記三色感度生成手段における重み付け処理に用いられる重み付け係数を前記複数のモードのそれぞれについて保持するとともに、前記モード選択手段で選択されたモードに対応する重み付け係数を前記三色感度生成手段に提供する重み付け係数保持手段と、
前記測光センサの出力及び前記三色感度生成手段により生成された合成三色分光感度によって得られた三色値に基づいて色補正情報を出力する色補正情報出力手段と、
を備えることを特徴とするカラーメータ。
【請求項２】
前記デジタルカメラモードにおける前記合成三色分光感度を等色関数とほぼ一致させたことを特徴とする請求項１に記載のカラーメータ。
【請求項３】
前記モード選択手段によって選択される前記複数のモードは画像表示装置モードを含み、
前記重み付け係数保持手段は、画像表示装置の三原色発光分光エネルギ分布に基づいて設定され、前記画像表示装置モードにおいて用いられる重み付け係数を保持すること
を特徴とする請求項１又は２に記載のカラーメータ。
【請求項４】
前記画像表示装置モードにおいて、測定対象となった画像表示装置の三原色発光量を算出して表示することを特徴とする請求項３に記載のカラーメータ。
【請求項５】
前記４組の測光センサが出力する測光信号を外部の情報処理装置へ送信するインターフェイス手段を有することを特徴とする請求項１から４に記載のカラーメータ。
【発明の詳細な説明】
【技術分野】
【０００１】
本発明は、撮影用光源等の光を測定して撮影用の色補正情報等を出力するカラーメータ（色測定器）に関し、特には、フィルムカメラとデジタルカメラのように異なった三色感度を有する撮影装置に対応した色補正情報を少ないセンサ数で得られるカラーメータに関する。
【背景技術】
【０００２】
例えば写真撮影に用いられる撮影用光源には、自然光（太陽光）、タングステン光（白熱電球）、フラッシュ光、蛍光灯、水銀灯、さらにはこれらのミックス光などがあり、これらの光源の性質の違いは、写真の色の違いとして表れる。
このため、写真撮影において、照明された被写体が、フィルムカメラやデジタルカメラの記憶媒体に適切な色バランスで記録されるためには、撮影時に光源の種類に応じてフィルタを用いたり、また、デジタルカメラの場合には撮影時色温度設定を変更する等の色補正をする必要がある。
【０００３】
カラーメータは、光源からの光を測定してこのようなフィルタ選択や色温度設定に有用な色補正情報を出力する計測機器である。
従来このようなカラーメータとして、３つの受光部にＲＧＢ各色のフィルタを設けて分光感度を異ならせ、各受光部の出力に基づいて光源の色温度を測定する色温度計が知られている（例えば、特許文献１を参照）。
このカラーメータは、各受光部に写真用銀塩カラーフィルムの三色感度を考慮した分光感度を持たせることで、フィルムカメラでの撮影に好適なフィルタ補正値を出力するようになっている。
【特許文献１】特開平５−２２３６４３号公報
【発明の開示】
【発明が解決しようとする課題】
【０００４】
しかし、従来のフィルムカメラ用カラーメータでは、照明光源の色を補正するためのフィルタ値を表示することが主目的である。表示される写真的色温度は、等色関数で測った色温度とは異なり、特定のエネルギ分布をもった光源以外は色温度を正しく測定できない。
一方、近年普及しているデジタルカメラには、色温度を基準にカメラへ色補正値を入力するとともに、カメラ側に色温度を入力設定する機構がある。ここで、デジタルカメラに用いられる固体撮像素子の三色感度は、等色関数と近似するようにチューニングされていることが多い。このため、デジタルカメラで正しい色再現を行うためには、等色関数で色温度を正確に測定することが求められる。
【０００５】
フィルムカメラ及びデジタルカメラ用としてそれぞれ分光感度を特化させたセンサをカラーメータに設ければ、各カメラの使用時にそれぞれ適切な色測定を行うことは可能であるが、この場合センサの個数が多くなって製作上困難であり、カラーメータのサイズやコストが増大してしまう。
本発明は、上述した問題に鑑みなされたものであって、少ないセンサ数で三色感度の異なる複数の撮像装置のそれぞれについて適切な色補正情報を得られるカラーメータを提供することを課題とする。
【０００６】
また、近年デジタル画像をコンピュータのモニタ等の表示装置に表示する際に、表示装置の種類によって、あるいは、同じ表示装置でも表示の都度色特性が異なることが問題となっている。このため、モニターの色特性を測って表示系を安定的に色管理することが求められている。
本発明はさらに、少ないセンサ数で色特性の異なる複数種類の表示装置の色特性情報を得られるカラーメータを提供することを他の課題とする。
【課題を解決するための手段】
【０００７】
上記の課題を解決するため、本発明のカラーメータは、撮影用光源の光を測定して撮影用の色補正情報を出力するカラーメータであって、相互に異なった分光感度を有し、入射光量に応じた測光信号を出力する４組の測光センサと、前記４組の測光センサが出力する測光信号に対して、三原色にそれぞれ対応する重み付け処理を行って合成三色分光感度を生成する三色感度生成手段と、フィルムカメラモード、及び、デジタルカメラモードを含む複数のモードから任意の一つを選択するモード選択手段と、前記三色感度生成手段における重み付け処理に用いられる重み付け係数を前記複数のモードのそれぞれについて保持するとともに、前記モード選択手段で選択されたモードに対応する重み付け係数を前記三色感度生成手段に提供する重み付け係数保持手段と、前記測光センサの出力及び前記三色感度生成手段により生成された合成三色分光感度によって得られた三色値に基づいて色補正情報を出力する色補正情報出力手段とを備えることを特徴とする。
【０００８】
これによれば、分光感度の異なる４組の測光センサの出力に、モード毎に異なった重み付け係数で重み付け処理を行うことによって、４組の測光センサから複数の異なった三色（例えばＲＧＢ）分光感度特性を合成することができる。そして、フィルムカメラ、デジタルカメラの三色分光感度特性を考慮してそれぞれ設定された重み付け係数を用いることにより、フィルムカメラ、デジタルカメラの三色分光感度特性に適合した合成三色分光感度を得て、各カメラでの撮影時にそれぞれ適切な色補正情報を提供することができる。
なお、測光センサの数は、センサ数を少なくするという観点からは４個が最も好ましいが、装置のサイズや許容コストに余裕がある場合には、分光感度の異なる５以上のセンサを設けたり、各分光感度のセンサを複数設けてもよい。
【０００９】
この場合において、前記デジタルカメラモードにおける前記合成三色分光感度を等色関数とほぼ一致させた構成とすることができる。
一般に、デジタルカメラの三色分光感度は、厳密には機種ごとの違いはあるが、フィルムカメラとの比較では等色関数に近似している傾向があるため、デジタルカメラモードの合成三色分光感度を等色関数とほぼ一致させることによって、良好な色補正情報を提供することができる。
【００１０】
また、モード選択手段によって選択される前記複数のモードは画像表示装置モードを含み、前記重み付け係数保持手段は、画像表示装置の三原色発光分光エネルギ分布に基づいて設定され、前記画像表示モードにおいて用いられる重み付け係数を保持する構成とすることができる。
画像表示装置には、例えばＣＲＴ、ＬＣＤ、プラズマディスプレイ等の原理の違いによる三原色発光分光エネルギ分布の違いがあるが、本発明の場合には、測定対照となる装置の三原色発光分光エネルギ分布に基づいて重み付け係数を設定していることから、測定時に適切な合成三色分光感度を得て表示装置の色管理を適切に行うことができる。
この場合、画像表示装置モードにおいて、測定対象となった画像表示装置の三原色発光量を算出して表示する構成とすることができる。
【００１１】
また、本発明において、前記４組の測光センサが出力する測光信号を外部の情報処理装置へ送信するインターフェイス手段を有する構成とすることができる。
これによれば、本体内で保持していない重み付け係数を用いた処理や、複雑な演算を必要とする処理等を外部の情報処理装置で実行することができ、カラーメータの機能を拡張することができる。
【発明の効果】
【００１２】
以上のように、本発明によれば、分光感度の異なった４組の測光センサの出力に、モードごとに異なった重み付け係数で重み付け処理をして合成三色分光感度を得ているため、少ないセンサ数によって、三色感度の異なる複数の撮像装置のそれぞれについて適切な色補正情報を得ることができる。
また、画像表示装置の三色発光分光エネルギ分布に基づいて設定された重み付け係数を用いることによって、画像表示装置の色管理を適切に行うことができる。
【発明を実施するための最良の形態】
【００１３】
以下、本発明を適用したカラーメータの実施形態について、図面等を参照しつつ説明する。
図１は、本実施形態のカラーメータの外観図である。
カラーメータ１は、本体部１０及びセンサ収容部５０を備えている。
本体部１０は、操作部２０、表示部３０、外部インターフェイス４０等を備えている。
【００１４】
操作部２０は、電源ボタン２１、測光ボタン２２、モニタボタン２３、メニューモードボタン２４、プリセット切換ボタン２５、レンジ切換ボタン２６、測光モード切換ボタン２７、表示切換ボタン２８、ダイアル２９等を備えて構成されている。
【００１５】
電源ボタン２１は、カラーメータ１の電源のオンオフ操作が入力される。
測光ボタン２２は、測定開始操作が入力される。
モニタボタン２３は、あるポイントでの測定値を基準とし、比較したい箇所の測定値との色温度差を表示するモニタ機能を用いる場合に、基準としたい測定値を基準値として記憶させる際に操作される。
【００１６】
メニューモードボタン２４は、測光モード等を選択するメニュー画面を表示する際に操作される。
プリセット切換ボタン２５は、予めユーザがプリセットした測光設定を呼び出す際に操作される。プリセットされた測光設定の呼び出しは、プリセット切換ボタン２５を押しながらダイアル２９を回すことによって行われる。
【００１７】
レンジ切換ボタン２６は、フラッシュ光を測光する場合に、フラッシュ光の光量の大小に応じて測光レンジを切り換える操作が入力される。フラッシュ光の測光レンジは、例えば、H（ハイ）レンジ、L（ロー）レンジの２段階が用意される。ユーザは、測光時に表示部３０にアンダー表示又はオーバー表示が出た場合には、レンジ切換ボタン２６を押しながらダイアル２９を回すことによってレンジの切換を行う。
【００１８】
測光モード切換ボタン２７は、定常光測定、コードレスフラッシュ光測定、コードインフラッシュ光測定、電波フラッシュ光測定の各測定モード、及び、電波トリガチャンネル設定モードの切換時に操作される。各モードの選択は、測光モード切換ボタン２７を押しながらダイアル２９を回すことによって行う。
【００１９】
表示切換ボタン２８は、測光後に色補正情報を表示する表示モードの選択時に操作される。カラーメータ１は、デジタルカメラ用、フィルムカメラ用としてそれぞれ複数の表示モードを備えている。
デジタルカメラ用の表示モードは、以下の４モードからなる。
Ｄ１：ＬＢ指数／ＣＣ指数表示
Ｄ２：ＬＢフィルタ番号／ＣＣフィルタ番号表示
Ｄ３：視覚的色温度（Ｋ）／ＣＣ指数（ΔＣＣ）表示
Ｄ４：プリセット色温度と視覚的色温度の差（ΔＫ）／ＣＣ指数（ΔＣＣ）表示
【００２０】
また、フィルムカメラ用の表示モードは、以下の３モードからなる。
Ｆ１：ＬＢ指数／ＣＣ指数表示
Ｆ２：ＬＢフィルタ番号／ＣＣフィルタ番号表示
Ｆ３：写真的色温度（Ｋ）表示
表示モードの切換は、表示切換ボタン２８を押しながらダイアル２９を回すことによって行う。
ダイアル２９は、上述した各種操作に用いられる回転式の操作部である。
【００２１】
表示部３０は、本体部１０の前面に設けられた液晶表示装置（ＬＣＤ）である。
外部インターフェイス４０は、例えばコンピュータ等の外部の情報処理装置と接続され通信を行うためのものである。外部インターフェイス４０は、例えばＵＳＢ端子を備えている。
外部インターフェイス４０は、受光部５１の４つの測光センサそれぞれの出力値、重み係数、色補正情報等を外部の情報処理装置に転送することが可能となっている。また、カラーメータ１は、外部インターフェイス４０を介して外部の情報処理装置から、各種操作を行えるようになっている。
【００２２】
センサ収容部５０は、本体部１０の上部に設けられ、本体部１０に対して回転可能に支持されている。
センサ収容部５０は、測定対象となる光が入射される受光部５１を備えている。受光部５１は、例えば乳白色の半透明樹脂材料を用いて形成されたフラットなカバーの内部に、異なった分光感度を有する４つの図示しない測光センサＳｎλ（ｎ＝１〜４）を備えて構成されている。受光部５１は、明るさに応じた各レンジ毎のＡＤ変換値を出力する。
【００２３】
図２は、受光部５１の各測光センサの分光感度を示すグラフである。図２において、横軸は光の波長を示し、縦軸は相対感度を示している。
本実施形態のカラーメータ１においては、この４つの測光センサの出力に対し重み付け処理を行って各モードにおける三色感度を得ている。したがって、各測光センサの分光感度特性は、各モードにおける三色感度が目標とする三色感度に対して最も再現性がよいように適宜設定するとよく、このような検討は例えばシミュレーションによって行うことができる。
【００２４】
図３は、カラーメータ１の内部構成を示すブロック図である。
カラーメータ１は、さらに情報処理部１００を有する。情報処理部１００は、四色測光値算出部１１０、三色信号処理部１２０、システムモード選択部１３０、ミレッド値算出部１４０、白色感度設定部１５０、色補正値算出部１６０、色温度算出部１７０、照度算出部１８０、三原色発光量算出部１９０等を備えて構成されている。
【００２５】
四色測光値算出部１１０は、受光部からのＡＤ変換値を四色信号値化する。
ここで、各信号値は、以下の式１によって表される。
Ｓｎ＝∫Ｐλ・Ｓｎλ・ｄλ  （ｎ＝１〜４）  ・・式１
但し、Ｐλ＝光源
【００２６】
三色信号処理部１２０は、四色測光値算出部１１０からの四色信号値、及び、システムモード選択部１３０からのモード信号に基づいて、フィルムカメラ、デジタルカメラ、表示系の各モードにおける三色値ＲＧＢを算出するものである。
三色信号処理部１２０は、三色値算出部１２１、分光感度発生部１２２を備えている。
三色値算出部１２１は、以下示す式２及び式３のように、四色信号値Ｓｎ（ｎ＝１〜４）に所定の分光感度変換係数（ａｉｊ）によって重み付け処理を行って三色値ＲＧＢを算出する。三色値算出部１２１は、本発明にいう三色感度生成手段である。分光感度変換係数（ａｉｊ）は、この重み付け処理を行う際の重み付け係数である。
【数１】
2009053063.tif 000003
【数２】
2009053063.tif 000004
分光感度発生部１２２は、各モード毎に予め設定された分光感度変換係数（ａｉｊ）を保持し、システムモード選択部１３０からのモード信号に応じて、選択されたモードの分光感度変換係数（ａｉｊ）を三色値算出部１２１に提供する。分光感度発生部１２２は、本発明にいう重み付け係数保持手段である。
【００２７】
システムモード選択部１３０は、フィルムカメラ用、デジタルカメラ用、表示系用の各モードのうち、操作部２０からの入力により選択されたモードに対応するモード信号を三色信号処理部１２０に提供する。システムモード選択部１３０は、操作部２０と協働して本発明にいうモード選択手段として機能する。
【００２８】
本実施形態のカラーメータ１では、フィルムカメラ用のモード（フィルムモード）、デジタルカメラ用のモード（デジタルモード）、ＣＲＴディスプレイ用のモード（ＣＲＴモード）、ＬＣＤ用のモード（ＬＣＤモード）、プラズマディスプレイ用のモード（プラズマモード）の各モード毎に異なった分光感度変換係数（ａｉｊ）を用いることによって、各モードに好適な合成三色分光感度を得ている。以下、各モードの合成三色分光感度について図４から図８を参照して説明する。
【００２９】
図４は、写真用カラーフィルムの三色分光感度と、カラーメータ１のフィルムモードにおける合成三色分光感度とを示すグラフである。
図５は、一般的なデジタルカメラの三色分光感度と、カラーメータ１のデジタルモードにおける合成三色分光感度とを示すグラフである。
なお、デジタルカメラの三色分光感度は、実際にはカメラメーカーや個別の機種毎に微妙な差があるが、写真用フィルムとの比較においては等色関数に近似している傾向がある。そこで、本実施形態においては、デジタルカメラの三色分光感度を代表するものとして等色関数を用い、デジタルモードにおける合成三色分光感度を等色関数に近似させるようにしている。なお、図５におけるデジタルカメラの三色分光感度も等色関数を示している。
【００３０】
等色関数とは、Ｗ．Ｇ．ＷｒｉｇｈｔとＪ．Ｇｕｉｌｄの等色実験に基づき、ＣＩＥで定められた等エネルギスペクトルに対する目の感度であるスペクトル刺激値の感度曲線である。
図４と図５とを比較するとわかるように、フィルムではＲの感度がピークとなる波長が約６４０ｎｍであるのに対し、デジタルカメラでは約６００ｎｍと短波長の側へシフトしている。本実施形態のカラーメータ１では、４つのセンサの出力に重み付けを行う際の分光感度変換係数をモード毎に異ならせることによって、高感度が得られる波長をシフトさせて、各モード毎に求められる三色分光感度を合成している。
【００３１】
図６は、ＣＲＴ表示装置の三色発光分光エネルギ分布と、カラーメータ１のＣＲＴモードにおける合成三色分光感度とを示すグラフである。
図７は、ＬＣＤの三色発光分光エネルギ分布と、カラーメータ１のＬＣＤモードにおける合成三色分光感度とを示すグラフである。
図８は、プラズマ表示装置の三色発光分光エネルギ分布と、カラーメータ１のプラズマモードにおける合成三色分光感度とを示すグラフである。
図６から図８を比較するとわかるように、表示装置もその発光原理に応じて三色発光分光エネルギ分布が異なっている。本実施形態のカラーメータ１は、この場合にも分光感度変換係数をモード毎に異ならせて高感度が得られる波長をシフトさせ、適切な三色分光感度を合成している。
各モードで用いられる分光感度変換係数は、シミュレーションによって求められる三色分光感度が、各撮影装置の三色感度又は各表示装置の三色発光分光エネルギ分布と最も近似するように設定される。
【００３２】
ミレッド値算出部１４０は、三色値算出部１２１が算出した三色値ＲＧＢの２色比ＢＲ、ＢＧ（またはＲＧ）の対数変換値を以下の式４、式５のように算出し、２種類のミレッド値ＢＲミレッド（ＭＲＤｒｅｄ）、ＢＧミレッド（ＭＲＤｇｒｅｅｎ）を算出する。
【数３】
2009053063.tif 000005
【数４】
2009053063.tif 000006
ここで、α、ｒはともに所定の係数であり、Ｒｆｏ、Ｇｆｏ、Ｂｄｏは各色の三色値（出力）を示している。また、ｍｒｅｄ及びｍｇｒｅｅｎはそれぞれ重み付けの係数である。
【００３３】
白色感度設定部１５０は、カメラの記録媒体の基準色温度のホワイトバランスと同一の色温度を発生するものである。カメラの記録媒体の色温度とは、例えばデジタルカメラの場合には、撮影時に選択されたホワイトバランス設定において適用されている色温度である。
【００３４】
色補正値算出部１６０は、白色感度設定部１５０の基準色温度、及び、ミレッド値算出部１４０からのミレッド値から、選択されたモードにそれぞれ対応した色補正量を算出する。ここで、色補正量として、基準色温度に対する色温度差ΔＫ、ＬＢ指数、ＣＣ指数、光学フィルタ番号等が含まれる。色補正値算出部１６０は、本発明にいう色補正情報出力手段である。
ＬＢ(ライトバランス)指数は、ＬＢフィルタに表示されているミレッド変換値や色温度変換能力に相当する。
ＣＣ(カラーコンペンセイション)指数は、グリーン領域の色補正必要量を示している。
また、光学フィルタ番号は、上述したＬＢ及びＣＣの補正に用いられるＬＢフィルタ及びＣＣフィルタの番号（品番）である。
【００３５】
色温度算出部１７０は、デジタルカメラの等色関数に近似した分光感度で算出したミレッド値算出部のＢＲミレッドから、色温度Ｋを算出する。また、色温度算出部１７０は、式６に示すように、ＢＲミレッドとＢＧミレッドとの差から、黒体放射エネルギ分布（プランクの式）からの乖離量である黒体バランス（ΔＣＣ）を算出する。また、黒体放射エネルギ分布Ｓ（λ）は、式７によって表される。
±ΔＣＣ＝ＭＲＤｒｅｄ−ＭＲＤｇｒｅｅｎ・・式６
【数５】
2009053063.tif 000007
但し、
ｈ：プランク定数
ｋ：ボルツマン定数
Ｔ：熱力学的温度（Ｋ）
λ：標準の空気中での波長（ｎｍ）
Ｃａ：標準の空気中での光の速さ
【００３６】
照度算出部１８０は、三色値算出部１２１からのデジタルモードの比視感度に近似したＧ値から照度値、輝度値を算出する。
【００３７】
三原色発光量算出部１９０は、システムモード選択部１３０によってモニタモード（ＣＲＴモード、ＬＣＤモード、プラズマモードのいずれか）が選択されている場合に、以下の式８により三色信号処理部からの三色値ＲＧＢからモニターの基準白色値（色温度）で正規化した各三原色の相対発光強度を算出する。算出された三原色の発光量は、表示部３０に表示される。
【数６】
2009053063.tif 000008
【００３８】
次に、カラーメータ１の動作について説明する。
図９は、カラーメータ１の動作を示すフローチャート例である。以下、ステップ毎に順を追って説明する。
【００３９】
＜ステップＳ０１：測光ボタン押下＞
ユーザによる測光ボタン２２の長押し操作に応じて、カラーメータ１は以下説明する測光シーケンスを開始する。ステップＳ０２に進む。
＜ステップＳ０２：測光処理＞
情報処理部１００の四色測光値算出部１１０は、受光部５１の各センサから出力値のカウントＳ１〜Ｓ４を取得する。ステップＳ０３に進む。
＜ステップＳ０３：ベースカウント補正＞
四色測光値１１０は、各センサの出力特性を揃えるため、カウント値Ｓ１〜Ｓ４からそれぞれ所定のベース値Ｓ１ＢＡＳＥ〜Ｓ４ＢＡＳＥを減算し、三色信号処理部１２０に提供する。ステップＳ０４に進む。
【００４０】
＜ステップＳ０４：マトリックス演算＞
三色信号処理部１２０は、上述した式２、式３に示すマトリックス演算を行い、各センサの出力値に重み付けを行って、選択されたモードにおける三色値ＲＧＢを生成する。三色信号処理部１２０は、得られた三色値ＲＧＢをミレッド値算出部１４０に提供する。ステップＳ０５に進む。
【００４１】
＜ステップＳ０５：ミレッド値計算＞
ミレッド値算出部１４０は、上述した式４、式５によりミレッド値を算出する。ステップＳ０６に進む。
＜ステップＳ０６：ＣＣ補正量計算＞
色補正値算出部１６０は、上述した式６によりＣＣ補正量（ΔＣＣ）を算出する。ステップＳ０７に進む。
【００４２】
＜ステップＳ０７：表示モード判別＞
システムモード選択部１３０によってフィルムモードが選択されている場合はステップＳ１０に進み、デジタルモードが選択されている場合はステップＳ２０に進み、モニタモードが選択されている場合はステップＳ３０に進む。
【００４３】
＜ステップＳ１０：ＬＢ補正量計算＞
色補正値算出部１６０は、ミレッド値算出部１４０からのミレッド値に基づいて、ＬＢ補正量（ΔＬＢ）を算出する。ステップＳ１１に進む。
＜ステップＳ１１：ＬＢフィルタ表示要否判別＞
表示切換ボタン２８によってユーザが表示モードの選択操作を行った結果、ＬＢフィルタ番号等を表示するモード（上述したＤ２又はＦ２モード）が選択されている場合には、ステップＳ１３に進み、その他の場合はステップＳ１２に進む。
＜ステップＳ１２：ＬＢ・ＣＣ指数表示＞
表示部３０は、上記各ステップで得られたＬＢ指数及びＣＣ指数を表示する。
【００４４】
図１０は、カラーメータ１における表示部３０の表示例を示す図である。
図１０の場合には、表示部３０は、バッテリ表示３１、測光モード表示３２、フィルム／デジタル表示３３、基準色温度表示３４、ＣＣ指数表示３５、ＬＢ指数表示３６を表示している。
バッテリ表示３１は、バッテリ残量を示すキャラクタマークである。
測光モード表示３２は、定常光測定、コードレスフラッシュ光測定、コードインフラッシュ光測定、電波フラッシュ光測定のうちどれが選択されているかを示すキャラクタマークである。
フィルム／デジタル表示３３は、フィルムモード、デジタルモードのどちらが選択されているかを示している。
基準色温度表示３４は、白色感度設定部１５０に設定されたデジタルカメラの基準色温度を示している。
また、図１１は、カラーメータ１における表示部３０の他の表示例を示す図である。
図１１の場合には、図１０のＣＣ指数表示３５、ＬＢ指数表示３６に代えて、ＣＣ補正量（ΔＣＣ）表示３７、ＬＢ補正量（ΔＬＢ）表示３８を表示している。
【００４５】
＜ステップＳ１３：ＬＢフィルタ・ＣＣフィルタ計算＞
色補正値算出部１６０は、ステップＳ１０で求めたＬＢ補正量、及び、ステップＳ０６で求めたＣＣ補正量に基づいて、予め設定されたルックアップテーブル（変換テーブル）を用いて対応するＬＢフィルタ番号及びＣＣフィルタ番号を求める。ステップＳ１４に進む。
＜ステップＳ１４：ＬＢ・ＣＣフィルタ表示＞
表示部３０は、ステップＳ１３で求めたＬＢフィルタ番号及びＣＣフィルタ番号を表示する。
【００４６】
＜ステップＳ２０：ケルビン値計算＞
色温度算出部１７０は、以下の式９によりケルビン値Ｋを算出する。ステップＳ２１に進む。
Ｋ＝１００００００／ＭＲＤｒｅｄ  ・・式９
＜ステップＳ２１：ケルビン値・ＬＢ指数表示＞
表示部３０は、ステップＳ２０で得たケルビン値（色温度）Ｋ、及び、ＬＢ指数を表示する。
【００４７】
＜ステップＳ３０：照度計算＞
照度算出部１８０は、受光部５１のセンサのうち緑領域に相当するセンサのベースカウント補正後の出力値Ｓ３に基づいて、照度を算出する。ステップＳ３１に進む。
＜ステップＳ３１：照度表示＞
表示部３０は、ステップＳ３０で求めた照度を表示する。
【００４８】
以上説明したように、本実施形態によれば、分光感度の異なる４つの測光センサの出力に、モード毎に異なった分光感度変換係数を用いて重み付け処理を行って合成三色分光感度を生成しているため、４つのセンサを用いて複数の三色分光感度を得ることができる。そして、フィルムカメラ及びデジタルカメラそれぞれの三色分光感度に基づいてそれぞれ設定された分光感度変換係数を予め保持し、フィルムモード及びデジタルモードが選択された際に用いることによって、少ない測光センサ数であってもフィルムカメラ、デジタルカメラにそれぞれ適合した三色分光感度を得て良好な色補正情報を提供することができる。
【００４９】
また、デジタルモードの合成三色分光感度を、等色関数に近似させていることから、視覚的色温度に基づいた色補正情報を提示することができ、デジタルカメラでの撮影時に有用な情報を得ることができる。
【００５０】
さらに、ＣＲＴ表示装置、ＬＣＤ、プラズマ表示装置の各三色発光エネルギ分布を考慮して設定された分光感度変換係数をそれぞれ保持することによって、各表示装置の色管理もカメラ用と共通の受光部によって行うことができる。例えば表示装置の画面を測光し、その三原色発光量を数値表示することができる。
【００５１】
さらにまた、受光部の４つの測光センサの出力値、重み係数、色補正情報等を外部の情報処理装置に送信する外部インターフェイスを設けたことによって、本体内で保持していない重み付け係数を用いた三色感度の合成や、本体内では実行困難な複雑な処理であっても外部の情報処理装置内で実行することができ、カラーメータ１の機能を拡張することができる。このとき、個々のカラーメータ１毎に工場出荷時等に校正された固有のセンサ重み係数を情報処理装置側へ送信することによって、情報処理装置側において適切な処理を行うことができる。また、各種操作を例えばコンピュータのキーボードや、マウス等のポインティングデバイスを用いて行うことができるため、操作性が向上する。
【００５２】
（他の実施形態）
なお、本発明は上記した実施形態のみに限定されるものではなく、種々の応用や変形が考えられる。例えば、上述した実施形態では、フィルムモード、デジタルモードとしてそれぞれ１つずつの重み付け係数を保持しているが、例えば異なった種類のフィルムや機種の異なるデジタルカメラに対応して、フィルムモード及びデジタルモードをさらに細分化し、複数のフィルムモード、複数のデジタルモードを設けるようにしてもよい。同様に、表示系用のモードも上述した３種類に限定されず適宜追加することができる。
また、実施形態では外部インターフェイスは例えばＵＳＢ端子を備えているが、これに限らず他の有線インターフェイス、赤外線や電波等を用いた無線インターフェイスを用いてもよい。
また、実施形態では、受光部のカバーはフラットな（平板状の）形状であるが、これに限らず、例えば半球状（ドーム状）の受光部カバーを設けてもよい。
【図面の簡単な説明】
【００５３】
【図１】本発明を適用したカラーメータの実施形態における外観図である。
【図２】図１の受光部が有するセンサの分光感度特性を示すグラフである。
【図３】図１のカラーメータの内部構成を示すブロック図である。
【図４】写真用カラーフィルムの三色分光感度と、図１のカラーメータのフィルムモードにおける合成三色分光感度とを示すグラフである。
【図５】デジタルカメラの三色分光感度と、図１のカラーメータのデジタルモードにおける合成三色分光感度とを示すグラフである。
【図６】ＣＲＴ表示装置の三原色発光分光エネルギ分布と、図１のカラーメータのＣＲＴモードにおける合成三色分光感度とを示すグラフである。
【図７】ＬＣＤの三原色発光分光エネルギ分布と、図１のカラーメータのＬＣＤモードにおける合成三色分光感度とを示すグラフである。
【図８】プラズマ表示装置の三原色発光分光エネルギ分布と、図１のカラーメータのプラズマモードにおける合成三色分光感度とを示すグラフである。
【図９】図１のカラーメータの動作を示すフローチャート例である。
【図１０】図１のカラーメータにおける画面表示の一例を示す図である。
【図１１】図１のカラーメータにおける画面表示の他の例を示す図である。
【符号の説明】
【００５４】
１    カラーメータ              １０    本体部
２０    操作部                    ２１    電源ボタン
２２    測光ボタン                ２３    モニタボタン
２４    メニューモードボタン      ２５    プリセット切換ボタン
２６    レンジ切換ボタン          ２７    測光モード切換ボタン
２８    表示切換ボタン            ２９    ダイアル
３０    表示部                    ３１    バッテリ表示
３２    測光モード表示            ３３    フィルム／デジタル表示
３４    基準色温度表示            ３５    ＣＣ指数表示
３６    ＬＢ指数表示              ３７    ＣＣ補正量表示
３８    ＬＢ補正量表示            ４０    外部インターフェイス
５０    センサ収容部              ５１    受光部
１００    情報処理部              １１０    四色測光値算出部
１２０    三色信号処理部          １２１    三色値算出部
１２２    分光感度発生部          １３０    システムモード選択部
１４０    ミレッド値算出部        １５０    白色感度設定部
１６０    色補正値算出部          １７０    色温度算出部
１８０    照度算出部              １９０    三原色発光量算出部
【図１】
2009053063.tif 000009
【図２】
2009053063.tif 000010
【図３】
2009053063.tif 000011
【図４】
2009053063.tif 000012
【図５】
2009053063.tif 000013
【図６】
2009053063.tif 000014
【図７】
2009053063.tif 000015
【図８】
2009053063.tif 000016
【図９】
2009053063.tif 000017
【図１０】
2009053063.tif 000018
【図１１】
2009053063.tif 000019